(57)【要約】【課題】従来の給水管サヤ管ヘッダー工法の凍結防止の方法は、水道凍結防止帯を使用しない場合は使用に際して注意が必要であり、水道凍結防止帯を使用する場合でも水道凍結防止帯の故障時の修理が困難である。また水道凍結防止帯を使用することによる電力の多量使用などの問題点があった。【解決手段】建物内または外気の空気を送風機３によって取り入れてヘッダーボックス２の内のエアーヘッダー９を通過させて、各サヤ管内に空気または温風を送ることによって凍結を防止することができる。取り入れた空気が水道凍結温度でも空気を温風に変えることによって凍結を防止することができる。よって水道凍結防止帯を使用しなくても良くなり、エネルギーを省力化することができる。また、ボイラー本体１とヘッダーボックス２をユニット化することによって、場所の節約および省力化が図れる。【選択図】        図１
2004250861.tif 000002
【特許請求の範囲】
【請求項１】
給水管サヤ管ヘッダー工法で、ヘッダーボックス内にエアーヘッダー（ヒーター付き）を設置し、送風機によって建物内または外気より空気を取り入れ、各サヤ管内に空気または温風を送ることによって凍結を防止することを特徴とするシステム。
【請求項２】
ヘッダーボックス内にエアーヘッダーを設置し、空気の通る管により、各サヤ管内に空気を送ることを特徴とする請求項１記載のシステム。
【請求項３】
ボイラー等とヘッダーボックスをユニット化することを特徴とする請求項１記載のシステム。
【請求項４】
取り入れた空気が凍結温度の場合、センサーにて感知してエアーヘッダー内のヒーターにて加温して送風することを特徴とする請求項１記載のシステム。
【請求項５】
ヘッダーボックス内のサヤ管端部にキャップを被せることによって、サヤ管内に送った空気が漏れないようにすることを特徴とする請求項１記載のシステム。
【請求項６】
水栓ジョイントボックスに空気吹き出し口を設けた構造とすることを特徴とする請求項１記載のシステム。
【発明の詳細な説明】
【０００１】
【発明が属する技術分野】
本発明は、サヤ管内給水管等の凍結防止に関する。
【０００２】
【従来の技術】
従来の給水管サヤ管ヘッダー工法の凍結防止の技術は、図５に示すように樹脂管に保温材を巻いてサヤ管に挿入する場合や、図６に示すようにサヤ管に保温材が巻いてある場合や、図７に示すように保温材が巻いてあるサヤ管に樹脂管と水道凍結防止帯を挿入する場合や、図８に示すように水道凍結防止帯用のサヤ管（ガイド管）とサヤ管に保温材が巻いてあり樹脂管と水道凍結防止帯を挿入して水道凍結防止帯と保温材によって凍結を防止する場合とがある。また図４は寒冷地には使用していないが、温暖地における標準のサヤ管および樹脂管である。
【０００３】
【発明が解決しようとする課題】
しかしながら、以上の従来技術によれば、図５、図６の方法では寒冷地での長時間放置すると凍結するため使用は注意が必要である。図７の方法では水道凍結防止帯が損傷した場合、樹脂管も同時にサヤ管内部より取出さないと入れ替えが出来ないロスが発生する。図８の方法では水道凍結防止帯用のサヤ管（ガイド管）が損傷した場合水道凍結防止帯の入れ替えは不可能である。また図７、図８の方法に関しては水道凍結防止帯を使用することによる電力の使用が多量である。
そこで、この発明は、図４の標準のサヤ管および樹脂管を使用し、建物内または外気の空気を利用することによって各サヤ管内の凍結を防止し、ユニット化することによってエネルギーを節約でき、また水道凍結防止帯を使用しないことで省力化できるシステムを提供することを課題とする。
【０００４】
【課題を解決するための手段】
以上の課題を解決するために、請求項１の発明は、給水管サヤ管ヘッダー工法で、ヘッダーボックス内にエアーヘッダー（ヒーター付き）を設置し、送風機によって建物内または外気より空気を取り入れ、各サヤ管内に空気または温風を送ることによって凍結を防止することを特徴とするシステムである。
また、請求項２の発明は、ヘッダーボックス内にエアーヘッダーを設置し、空気の通る管により、各サヤ管内に空気を送ることを特徴とするシステムである。
また、請求項３の発明は、ボイラー本体とヘッダーボックスをユニット化することを特徴とするシステムである。
また、請求項４の発明は、取り入れた空気が凍結温度の場合、センサーにて感知してエアーヘッダー内のヒーターにて加温して送風することを特徴とするシステムである。
また、請求項５の発明は、ヘッダーボックス内のサヤ管端部にキャップを被せることによって、サヤ管内に送った空気が漏れないようにすることを特徴とするシステムである。
また、請求項６の発明は、水栓ジョイントボックスに空気吹き出し口を設けた構造とすることを特徴とするシステムである。
【０００５】
【発明の実施の形態】
この発明の一実施形態を、図１、図２、図３に示す。
【０００６】
空気を建物内または外気よりヘッダーボックス２の中にあるエアーヘッダー９に取り入れます。取り入れ方は送風機３によって取り入れます。この時、取り入れた空気の温度を空気温度感知センサー５にて認識し、取り入れた空気が水の凍結温度に達しているか達してしないかを調べます。
【０００７】
取り入れた空気が水の凍結温度に達していない場合はその温度のまま、送風機３によりエアーヘッダー９を通過して、空気の通る管１０より各サヤ管内に送られます。
【０００８】
空気温度感知センサー５にて取り入れた空気が水の凍結温度に達している場合、半導体ヒーター４にて取り入れた空気を温風に変えて各サヤ管内に送ります。その際、温風温度感知センサー６にて温度を認識します。これは温度を認識する事によって適温の温度上昇下降の防止および事故防止のために設置します。
【０００９】
サヤ管内に取り入れた空気がヘッダーボックス内に漏れないようにするため、サヤ管端部にキャップを被せます。
【００１０】
サヤ管内に送られた空気の温度はサヤ管内温度感知センサー７にて認識します。
【００１１】
サヤ管内を通過した空気は水栓ジョイントボックス８より建物内へ戻ります。水栓ジョイントボックス８は図３に示すように水栓エルボの内ネジの外側のロックナットのネジ部に空気の出る穴を開けます。よって送り込まれた空気はサヤ管内より出ます。
【００１２】
【実施形態の効果】
この実施形態によれば、建物内または外気の空気をサヤ管内に送ることによって各サヤ管内の給水管の凍結を防止することができる。
【００１３】
【他の実施形態】
図１、図２、図３の実施形態では、建物内または外気の空気が各サヤ管内を通過し建物内に戻ることによって給水管の凍結を防止するシステムであったが、他の実施形態では、水栓ジョイントボックス８よりサヤ管内を出る空気が、建物内ではなく建物の床下や建物外部に出ても良い。
【００１４】
【発明の効果】
以上説明したように本発明のエコエアーシステムは、給水管サヤ管ヘッダー工法で、建物内または外気の空気を送風機３よりエアーヘッダー９を通過させて各サヤ管内に送ることによって水道の凍結を防止することができる。
【００１５】
また、水道凍結防止帯を使用しなくても良いので、エネルギー（電力）の節約ができる。
【００１６】
また、ボイラー本体１とヘッダーボックス２をユニット化することで場所の節約、省力化が図れる。
【図面の簡単な説明】
【図１】給水管サヤ管ヘッダー工法で、建物内または外気の空気を送風機３より取り入れてヘッダーボックス２の中のエアーヘッダー９を通過させて空気または温風を各サヤ管内に送ることによって凍結を防止することを特徴とするシステムの実施形態を示す斜視図である。
【図２】ヘッダーボックス内のサヤ管端部の詳細図である。
【図３】水栓ジョイントボックスに空気吹き出し口を設けた構造を示す詳細図である。
【図４】従来技術を示す断面図である。
【図５】従来技術を示す断面図である。
【図６】従来技術を示す断面図である。
【図７】従来技術を示す断面図である。
【図８】従来技術を示す断面図である。
【符号の説明】
１    ボイラー本体
２    ヘッダーボックス
３    送風機
４    半導体ヒーター
５    空気温度感知センサー
６    温風温度感知センサー
７    サヤ管内温度感知センサー
８    水栓ジョイントボックス
９    エアーヘッダー
１０  空気の通る管
【図１】
2004250861.tif 000003
【図２】
2004250861.tif 000004
【図３】
2004250861.tif 000005
【図４】
2004250861.tif 000006
【図５】
2004250861.tif 000007
【図６】
2004250861.tif 000008
【図７】
2004250861.tif 000009
【図８】
2004250861.tif 000010